(57)【要約】【課題】外部の通信装置との通信内容に応じて、携帯端末装置の機能を自動的に要求されるべき状態に設定可能な携帯端末装置を提供する。【解決手段】携帯端末装置としての携帯電話装置２０は、携帯電話部１１と非接触ＩＣ部１２とを備えている。例えば、自動改札装置に内蔵されているリーダ／ライタ装置３０と携帯電話装置２０に内蔵されている非接触ＩＣ部１２とが近距離の通信を行い、「改札を通過し、駅構内に入った」という情報が非接触ＩＣ部１２の非接触ＩＣ用制御部９から携帯電話部１１の携帯電話用制御部３に通知される。この通知を受けた携帯電話用制御部３は、利用者によって予め設定された設定内容に基づき、マナーモードをＯＮ状態に自動的に切り替える。【選択図】  図１
2005012354.tif 000002
【特許請求の範囲】
【請求項１】
基地局を介した無線通信とは別に、外部の通信装置と直接無線通信を行う携帯端末装置であって、
前記外部の通信装置との通信内容に応じて、前記携帯端末装置の機能を変更する機能変更手段を備える携帯端末装置。
【請求項２】
請求項１記載の携帯端末装置であって、
前記基地局を介した無線通信を行う第１の通信手段と、
前記外部の通信装置と直接無線通信を行う第２の通信手段と、
前記第２の通信手段による前記外部の通信装置との通信内容を通知する通知手段とを備え、
前記機能変更手段は、前記通知された前記外部の通信装置との通信内容に応じて、前記携帯端末装置の機能を変更するものである携帯端末装置。
【請求項３】
請求項２記載の携帯端末装置であって、
前記第２の通信手段は、前記携帯端末装置と前記外部の通信装置との距離が所定範囲内に至った場合、前記外部の通信装置との無線通信を確立し、
前記第２の通信手段及び前記外部の通信装置間の無線通信が完了した後、前記機能変更手段は、前記機能を変更するものである携帯端末装置。
【請求項４】
請求項２記載の携帯端末装置であって、
前記第２の通信手段は、非接触ＩＣによる近距離の無線通信機能を有するものである携帯端末装置。
【請求項５】
請求項１または２に記載の携帯端末装置であって、
前記携帯端末装置が携帯電話装置である場合、前記機能変更手段は、前記携帯電話装置のマナーモードをオンまたはオフに切り替えるものである携帯端末装置。
【請求項６】
請求項１または２に記載の携帯端末装置であって、
前記機能変更手段は、前記携帯端末装置の電源をオンまたはオフに切り替えるものである携帯端末装置。
【請求項７】
基地局を介した無線通信とは別に、外部の通信装置と直接無線通信を行う携帯端末装置の機能設定方法であって、
前記外部の通信装置との通信内容に応じて、前記携帯端末装置の機能を変更するステップを有する携帯端末装置の機能設定方法。
【請求項８】
外部の通信装置と、基地局を介した無線通信とは別に前記外部の通信装置と直接無線通信を行う携帯端末装置とを備えた携帯端末システムであって、
前記外部の通信装置との通信内容に応じて、前記携帯端末装置の機能を変更する機能変更手段を備える携帯端末システム。
【発明の詳細な説明】
【０００１】
【発明の属する技術分野】
本発明は、基地局等を介した通信網との間の無線通信とは別に、外部の通信装置と直接無線通信を行う携帯端末装置、その機能設定方法及び携帯端末システムに関する。
【０００２】
【従来の技術】
従来より、店頭での決済や交通料金の精算などに用いられる非接触ＩＣカードの機能を携帯電話装置等の携帯端末装置に内蔵し、この携帯端末装置をモバイルＥＣ（電子商取引）に利用する技術が提案されている（例えば、特許文献１参照）。
【０００３】
また、例えば、鉄道の自動改札機で使用されている非接触ＩＣカードを携帯電話装置等の携帯端末装置に内蔵し、この携帯端末装置を自動改札機の読み取り部にかざすことで、改札を通って駅構内に入場できるようにすることが検討されている。
【０００４】
【特許文献１】
特開２００２−３５１６２３号公報
【０００５】
【発明が解決しようとする課題】
しかしながら、上記のように単に非接触ＩＣカードを携帯端末装置に内蔵しただけでは、非接触ＩＣカードの機能と携帯端末装置本来の機能とが連携されていないので、非接触ＩＣカードの通信の内容によって、携帯端末装置の機能を要求されるべき状態に設定するなど、両者の動作状態に応じてそれぞれの機能を適切な状態にすることができなかった。
【０００６】
本発明は、上記事情に鑑みてなされたもので、外部の通信装置との通信内容に応じて、携帯端末装置の機能を自動的に適切な状態に設定することができる携帯端末装置、その機能設定方法及び携帯端末システムを提供することを目的とする。
【０００７】
【課題を解決するための手段】
本発明の携帯端末装置は、基地局を介した無線通信とは別に、外部の通信装置と直接無線通信を行う携帯端末装置であって、前記外部の通信装置との通信内容に応じて、前記携帯端末装置の機能を変更する機能変更手段を備えるものである。
上記構成により、外部の通信装置との通信内容に応じて、携帯端末装置の機能を自動的に適切な状態に、例えば携帯端末装置の機能を要求されるべき状態に設定することが可能となる。
【０００８】
また、好ましくは、上記の携帯端末装置であって、前記基地局を介した無線通信を行う第１の通信手段と、前記外部の通信装置と直接無線通信を行う第２の通信手段と、前記第２の通信手段による前記外部の通信装置との通信内容を通知する通知手段とを備え、前記機能変更手段は、前記通知された前記外部の通信装置との通信内容に応じて、前記携帯端末装置の機能を変更するものとする。
上記構成により、第２の通信手段による外部の通信装置との通信内容に応じて、携帯端末装置の機能を自動的に適切な状態に、例えば携帯端末装置の機能を要求されるべき状態に設定することが可能となる。
【０００９】
また、好ましくは、上記の携帯端末装置であって、前記第２の通信手段は、前記携帯端末装置と前記外部の通信装置との距離が所定範囲内に至った場合、前記外部の通信装置との無線通信を確立し、前記第２の通信手段及び前記外部の通信装置間の無線通信が完了した後、前記機能変更手段は、前記機能を変更するものとする。
上記構成により、携帯端末装置と外部の通信装置との距離が所定範囲内に至って第２の通信手段により外部の通信装置との無線通信が確立され、無線通信がなされた後に、外部の通信装置との通信内容に応じて、携帯端末装置の機能を自動的に適切な状態に設定することが可能となる。
【００１０】
また、本発明の一態様として、上記の携帯端末装置であって、前記第２の通信手段は、非接触ＩＣによる近距離の無線通信機能を有するものとする。
上記構成により、例えば非接触ＩＣカードと同様の磁界変調信号などによる近接型または近傍型の無線通信を行う機能を備えた携帯端末装置において、外部の通信装置との通信内容に応じて、携帯端末装置の機能を自動的に適切な状態に設定することが可能となる。
【００１１】
また、本発明の一態様として、上記の携帯端末装置であって、前記携帯端末装置が携帯電話装置である場合、前記機能変更手段は、前記携帯電話装置のマナーモードをオンまたはオフに切り替えるものとする。
上記構成により、外部の通信装置との通信内容に応じて、例えば自動改札装置を通過する駅構内への入退場などによって、携帯電話装置のマナーモードをオンまたはオフに切り替えることが可能となる。
【００１２】
また、本発明の一態様として、上記の携帯端末装置であって、前記機能変更手段は、前記携帯端末装置の電源をオンまたはオフに切り替えるものとする。
上記構成により、外部の通信装置との通信内容に応じて、例えば自動改札装置を通過する駅構内への入退場などによって、携帯端末装置の電源をオンまたはオフに切り替えることが可能となる。
【００１３】
本発明の携帯端末装置の機能設定方法は、基地局を介した無線通信とは別に、外部の通信装置と直接無線通信を行う携帯端末装置の機能設定方法であって、
前記外部の通信装置との通信内容に応じて、前記携帯端末装置の機能を変更するステップを有するものである。
上記手順により、外部の通信装置との通信内容に応じて、携帯端末装置の機能を自動的に適切な状態に、例えば携帯端末装置の機能を要求されるべき状態に設定することが可能となる。
【００１４】
本発明の携帯端末システムは、外部の通信装置と、基地局を介した無線通信とは別に前記外部の通信装置と直接無線通信を行う携帯端末装置とを備えた携帯端末システムであって、前記外部の通信装置との通信内容に応じて、前記携帯端末装置の機能を変更する機能変更手段を備えるものである。
上記構成により、外部の通信装置との通信内容に応じて、携帯端末装置の機能を自動的に適切な状態に、例えば携帯端末装置の機能を要求されるべき状態に設定することが可能となる。
【００１５】
したがって、本発明によれば、外部の通信装置との通信内容に応じて、例えば使用状況や場所などに適した携帯端末装置の機能が自動的に設定され、利用者の操作を省略できる。また、例えば、携帯電話装置に適用された場合、着信音の鳴動などで周囲にいる人達を不快な思いにさせることを避けられる。
【００１６】
【発明の実施の形態】
本実施形態では、携帯端末装置及び携帯端末システムの一例として、自動改札装置に内蔵されたリーダ／ライタ装置と非接触ＩＣカード機能による無線通信を行う携帯電話装置に適用した構成例を示す。
【００１７】
（第１の実施形態）
図１は本発明の第１の実施形態を説明するための携帯電話装置の構成を示す図である。この携帯電話装置２０は、移動体通信システムに対応する無線通信を行う携帯電話部１１と、近接型または近傍型の無線通信手段の一種である非接触ＩＣカード機能による近距離の無線通信を行う非接触ＩＣ部１２とを有して構成される。携帯電話部１１は、携帯電話用アンテナ１、携帯電話用無線部２、携帯電話用制御部３、携帯電話用通話部４、マイク５、スピーカ６、入力部１０、表示部１５、電源スイッチ１７等を備えている。
【００１８】
携帯電話用アンテナ１は、携帯電話用無線部２に接続され、移動体通信システムの基地局４０との無線通信に使用される。携帯電話用制御部３は、携帯電話用無線部２及び携帯電話用通話部４を制御し、基地局４０を介して通信相手との接続や切断を行うとともに、入力部１０から入力された携帯電話装置に関する各種の設定情報を記憶し、その内容に応じた動作を行う。また、携帯電話装置の各種状態（マナーモードのＯＮ／ＯＦＦ、電源ＯＮ等）の状態を表示部１５に表示する。さらに、携帯電話用制御部３は、電源スイッチ１７を制御し、二次電池１８による通電のＯＮ／ＯＦＦ動作を行う。
【００１９】
携帯電話用通話部４には、マイク５及びスピーカ６が接続され、携帯電話用通話部４は、通信相手との音声信号等の入出力を行うとともに、携帯電話用制御部３からの指示に従ってスピーカ６から着信音を鳴動させる。
【００２０】
一方、非接触ＩＣ部１２は、非接触ＩＣ用アンテナ７、非接触ＩＣ用無線部８及び非接触ＩＣ用制御部９を備えている。非接触ＩＣ用アンテナ７は、非接触ＩＣ用無線部８に接続され、外部のリーダ／ライタ装置３０との近距離無線通信に使用される。非接触ＩＣ用制御部９は、非接触ＩＣ用アンテナ７で受信したリーダ／ライタ装置３０からの磁界変調信号等による通信信号で起動し、リーダ／ライタ装置３０との通信を制御するとともに、この通信内容を携帯電話用制御部３に通知する。ここで、携帯電話部１１は、請求項に記載の第１の通信手段の一例に相当し、非接触ＩＣ部１２は、請求項に記載の第２の通信手段の一例に相当する。
【００２１】
図２は本実施形態に用いるリーダ／ライタ装置３０の構成を示す図である。このリーダ／ライタ装置３０は、非接触ＩＣ用アンテナ７との間で磁界変調信号等の無線信号を送受信するリーダ／ライタ用アンテナ３１、リーダ／ライタ用無線部３２及びリーダ／ライタ用制御部３３を有して構成される。リーダ／ライタ用制御部３３は、リーダ／ライタ用アンテナ３１から送信される信号によって起動した非接触ＩＣ部１２との無線通信を開始し、非接触ＩＣ部１２から種々の情報を読み取るとともに、非接触ＩＣ部１２に対して必要な情報を送信して書き込ませる。また、このリーダ／ライタ装置３０が設置される自動改札装置に対して必要な情報を送受信する。
【００２２】
図３は本実施形態に用いるリーダ／ライタ装置３０の設置状態を示す図である。本実施形態のリーダ／ライタ装置３０は、自動改札装置５０の入口側に設置されており、利用者が自動改札装置５０を通過する際、その手に所持される携帯電話装置２０との距離が所定範囲内になった場合、非接触ＩＣ部１２との無線通信が確立されるように設定されている。リーダ／ライタ装置３０と非接触ＩＣ部１２との無線通信が確立可能な範囲としては、例えば、リーダ／ライタ装置３０から０〜０．２メートル程度の距離の範囲が想定される。
【００２３】
次に、上記構成を有する携帯電話装置及びリーダ／ライタ装置の動作を説明する。図４は第１の実施形態におけるリーダ／ライタ装置３０、非接触ＩＣ部１２及び携帯電話部１１間の処理の流れを示す図である。
【００２４】
予め、携帯電話装置２０の利用者は、入力部１０を介して、非接触ＩＣ部１２から通知される通信内容に応じて、携帯電話装置２０が移行すべき状態を設定しておく。具体的には、駅の改札を通過する際、非接触ＩＣカード機能を搭載した携帯電話装置の場合、「改札を通過し、駅構内に入った」という入場情報の通知内容に対し、マナーモードＯＮへの移行を設定する。また、「改札を通過し、駅構内から外に出た」という退場情報の通知内容に対し、マナーモードＯＦＦへの移行を設定する。この設定内容は、携帯電話用制御部３内の記憶部に保存される。
【００２５】
まず、携帯電話装置２０を所持する利用者が、駅の構内に入場する際に自動改札装置５０に携帯電話装置２０をかざすと、自動改札装置５０に内蔵されているリーダ／ライタ装置３０と携帯電話装置２０に内蔵されている非接触ＩＣ部１２との通信状態が確立する（図４のＳ１、Ｔ１）。そして、リーダ／ライタ装置３０から、改札に接近したとの情報が非接触ＩＣ部１２に送信されると（Ｓ２）、非接触ＩＣ部１２内の非接触ＩＣ用制御部９はその内部に記憶されている定期券やプリペイドカード等の鉄道チケット情報を読み出す。なお、ここでは代表して定期券情報で説明する。そして、非接触ＩＣ用無線部８及び非接触ＩＣ用アンテナ７を介して定期券情報をリーダ／ライタ装置３０に送信する（Ｔ２）。
【００２６】
リーダ／ライタ装置３０は、この定期券情報を読み取ると、自動改札装置５０内の制御部（図示せず）にその情報を出力し、ゲート５２の開放を促す（Ｓ３）。ゲート５２が開放されて、利用者がゲート５２を通過すると、リーダ／ライタ装置３０から送信される、「改札を通過し、駅構内に入った」という入場情報が非接触ＩＣ部１２で読み取られ、非接触ＩＣ用制御部９から携帯電話用制御部３に通知される（Ｓ４）。ここで、ステップＳ４の処理は請求項に記載の通知手段の一例に相当する。この後、携帯電話装置２０を所持する利用者が自動改札装置５０から遠ざかると、リーダ／ライタ装置３０及び非接触ＩＣ部１２間の無線通信は切断される（Ｓ５、Ｔ３）。そして、無線通信が切断された後、この通知を受け取った携帯電話用制御部３は、利用者が予め設定した通り、マナーモードのオン動作を行い、マナーモードＯＮ状態に自動的に切り替える（Ｕ１）。ここで、携帯電話用制御部３によるステップＵ１の処理は、請求項に記載の機能変更手段の一例に相当する。
【００２７】
こうして、駅構内では、利用者が所持する携帯電話装置２０はマナーモードＯＮの状態に保持される。このマナーモードＯＮの状態で、携帯電話装置２０に着信があった場合、その表示部１５に「着信あり」等のメッセージが表示されるとともに、ランプが点灯することで、利用者にその旨が通知される。
【００２８】
再び、携帯電話装置２０を所持する利用者が駅構内から退場する際、携帯電話装置２０を自動改札装置５０にかざすと、リーダ／ライタ装置３０及び非接触ＩＣ部１２間の無線通信が確立する（Ｓ６、Ｔ４）。そして、リーダ／ライタ装置３０から、改札に接近したとの情報が非接触ＩＣ部１２に送信されると（Ｓ７）、非接触ＩＣ部１２内の非接触ＩＣ用制御部９はその内部に記憶されている定期券情報を読み出し、非接触ＩＣ用無線部８及び非接触ＩＣ用アンテナ７を介して定期券情報をリーダ／ライタ装置３０に送信する（Ｔ５）。
【００２９】
リーダ／ライタ装置３０は、この定期券情報を読み取ると、自動改札装置５０内の制御部（図示せず）にその情報を出力し、ゲート５２の開放を促す（Ｓ８）。ゲート５２が開放されて、利用者がゲート５２を通過すると、リーダ／ライタ装置３０から送信される、「改札を通過し、駅構内から外に出た」という退場情報が非接触ＩＣ部１２で読み取られ、非接触ＩＣ用制御部９から携帯電話用制御部３に通知される（Ｓ９）。この後、携帯電話装置２０を所持する利用者が自動改札装置５０から遠ざかると、リーダ／ライタ装置３０及び非接触ＩＣ部１２間の無線通信は切断される（Ｓ１０、Ｔ６）。そして、無線通信が切断された後、この通知を受け取った携帯電話用制御部３は、利用者が予め設定した通り、マナーモードのオフ動作を行い、マナーモードＯＦＦ状態に自動的に切り替える（Ｕ２）。こうして、駅構内から外に出ると、利用者が所持する携帯電話装置２０はマナーモードＯＦＦの通常の状態に戻る。
【００３０】
このように、第１の実施形態によれば、非接触ＩＣ部１２が外部のリーダ／ライタ装置３０と無線通信を行うと、非接触ＩＣ部１２がその通信内容を携帯電話部１１に通知する。携帯電話部１１はこの通信内容に応じて、携帯電話装置に関する各種機能の設定を自動的に変更する。したがって、場所に適した携帯電話装置の機能が自動的に設定され、利用者の操作を省略できる。また、着信音が鳴動するなどにより携帯電話装置の周囲にいる人達を不快な思いにさせることが避けられる。つまり、携帯電話装置２０の利用者が煩わしい操作を行うことなく、駅構内に入場する度に、携帯電話装置２０を自動的にマナーモードＯＮに設定でき、また駅構内から退場する度に、携帯電話装置２０を自動的にマナーモードＯＦＦに設定できる。したがって、煩雑な操作の必要がなく、電車利用時のマナーを守ることができる。
【００３１】
なお、上記実施形態では、携帯電話装置のマナーモードがＯＮ状態である場合、表示部１５に「着信あり」等のメッセージの表示やランプ点灯などで通知されるようにしたが、バイブレータ機能を搭載している場合、振動により通知してもよいことは勿論である。また、リーダ／ライタ装置３０は自動改札装置５０に内蔵された例を示したが、外部に設置されてもよい。
【００３２】
（第２の実施形態）
第２の実施形態では、携帯電話装置を所持する利用者が駅構内に入った際、携帯電話装置の電源を自動的にＯＦＦし、駅構内から外に出た際、自動的にＯＮする場合を示す。携帯電話装置及びリーダ／ライタ装置の構成は、前記第１の実施形態と同一である。
【００３３】
図５は第２の実施形態におけるリーダ／ライタ装置３０、非接触ＩＣ部１２及び携帯電話部１１間の処理の流れを示す図である。前記第１の実施形態と同一の処理ステップについては同一の符号を付している。
【００３４】
予め、携帯電話装置２０の利用者は、入力部１０を介して、非接触ＩＣ部１２から通知される通信内容に応じて、携帯電話装置２０が移行すべき状態を設定しておく。具体的には、駅の改札を通過する際、非接触ＩＣ機能を搭載した携帯電話装置の場合、「改札を通過し、駅構内に入った」という入場情報の通知内容に対し、電源ＯＦＦへの移行を設定する。また、「改札を通過し、駅構内から外に出た」という退場情報の通知内容に対し、電源ＯＮへの移行を設定する。この設定内容は、携帯電話用制御部３内の記憶部に保存される。
【００３５】
第２の実施形態では、利用者がゲート５２を通過すると、リーダ／ライタ装置３０から送信される、「改札を通過し、駅構内に入った」という入場情報が非接触ＩＣ部１２で読み取られ、非接触ＩＣ用制御部９から携帯電話用制御部３に通知される（Ｓ４）。この後、携帯電話装置２０を所持する利用者が自動改札装置５０から遠ざかると、リーダ／ライタ装置３０及び非接触ＩＣ部１２間の無線通信は切断される（Ｓ５、Ｔ３）。そして、無線通信が切断されると、この通知を受け取った携帯電話用制御部３は、利用者が予め設定した通り、電源スイッチ１７をオフにして携帯電話装置２０への電源供給を遮断する（Ｕ１Ａ）。こうして、駅構内では、利用者が所持する携帯電話装置２０は電源ＯＦＦの状態に保持される。
【００３６】
また、利用者がゲート５２を通過すると、リーダ／ライタ装置３０から送信される、「改札を通過し、駅構内から外に出た」という退場情報が非接触ＩＣ部１２で読み取られ、非接触ＩＣ用制御部９から携帯電話用制御部３に通知される（Ｓ９）。この後、携帯電話装置２０を所持する利用者が自動改札装置５０から遠ざかると、リーダ／ライタ装置３０及び非接触ＩＣ部１２間の無線通信は切断される（Ｓ１０、Ｔ６）。そして、無線通信が切断されると、この通知を受け取った携帯電話用制御部３は、利用者が予め設定した通り、電源スイッチ１７をオンにして携帯電話装置２０への電源供給を再開する（Ｕ２Ａ）。こうして、駅構内から外に出ると、利用者が所持する携帯電話装置２０は電源ＯＮの状態に戻る。
第２の実施形態によれば、携帯電話装置２０の利用者が煩わしい操作を行うことなく、駅構内に入場する度に、携帯電話装置２０を自動的に電源ＯＦＦに設定できる。同様に、駅構内から退場する度に、携帯電話装置２０を自動的に電源ＯＮに設定できる。したがって、煩雑な操作の必要がなく、電車利用時のマナーを守ることができる。
【００３７】
なお、上記実施形態では、携帯電話装置の機能を変更する例として、マナーモードのＯＮ／ＯＦＦの切替、電源のＯＮ／ＯＦＦの切替の場合を示したが、これに限らず、キー入力操作の禁止／許可の切替、メール送受信の禁止／許可の切替、留守録モードのＯＮ／ＯＦＦの切替等であってもよい。
【００３８】
また、上記実施形態では、自動改札装置を通過して駅構内への入退出時に、リーダ／ライタ装置と携帯電話装置内の非接触ＩＣ部との無線通信が開始される場合を示したが、これに限らず、病院、会社、社内の会議室、車などの入退出時、あるいは屋内の通路や屋外の道路を通過する時に無線通信が開始され、携帯端末装置の機能が変更されるようにしてもよい。
【００３９】
また、上記実施形態では、非接触ＩＣカード機能による近接型または近傍型の無線通信機能を利用する場合を示したが、これに限らず、Ｂｌｕｅｔｏｏｔｈ  や無線ＬＡＮ等の近距離無線通信などを利用することも可能である。
【００４０】
また、上記実施形態では、非接触ＩＣ部が内蔵されている携帯電話装置の例を示したが、着脱自在な非接触ＩＣカードが装着されている携帯電話装置を用いてもよい。さらには、携帯端末装置として、携帯電話装置の他、携帯情報端末（ＰＤＡ）やノート型ＰＣ等を用いてもよい。
【００４１】
このように本実施形態によれば、外部の通信装置との通信内容に応じて、マナーモードＯＮ／ＯＦＦや電源ＯＮ／ＯＦＦなどの携帯端末装置の機能に関して、当該機能を自動的に要求されるべき状態に設定することができる。
【００４２】
【発明の効果】
以上説明したように本発明によれば、外部の通信装置との通信内容に応じて、携帯端末装置の機能を自動的に適切な状態に設定することが可能な携帯端末装置、その機能設定方法及び携帯端末システムを提供できる。
【図面の簡単な説明】
【図１】本発明の第１の実施形態を説明するための携帯電話装置の構成を示す図
【図２】本実施形態に用いるリーダ／ライタ装置の構成を示す図
【図３】本実施形態に用いるリーダ／ライタ装置の設置状態を示す図
【図４】第１の実施形態におけるリーダ／ライタ装置、非接触ＩＣ部及び携帯電話部間の処理の流れを示す図
【図５】第２の実施形態におけるリーダ／ライタ装置、非接触ＩＣ部及び携帯電話部間の処理の流れを示す図
【符号の説明】
２  携帯電話用無線部
３  携帯電話用制御部
７  非接触ＩＣ用アンテナ
８  非接触ＩＣ用無線部
９  非接触ＩＣ用制御部
１１  携帯電話部
１２  非接触ＩＣ部
１５  表示部
１７  電源スイッチ
２０  携帯電話装置
３０  リーダ／ライタ装置
３１  リーダ／ライタ用アンテナ
３２  リーダ／ライタ用無線部
３３  リーダ／ライタ用制御部
５０  自動改札装置
【図１】
2005012354.tif 000003
【図２】
2005012354.tif 000004
【図３】
2005012354.tif 000005
【図４】
2005012354.tif 000006
【図５】
2005012354.tif 000007